(57)【要約】【課題】車室内の粉塵を低減することの可能な車両用空調装置を提供する。【解決手段】車両用空調装置１は、空調ダクト１０と、フィルタ１７と、空調ユニット２０と、ＥＣＵ８０とを備える。フィルタ１７は、空調ダクト１０内を流れる空気に含まれる粉塵を捕集する。空調ユニット２０は、空調ダクトの内気吸込口及び外気吸込口の少なくとも一方を通じて空調ダクト１０内に導入される空気から空調用空気を生成する。ＥＣＵ８０は、車室内の床に堆積した粉塵が舞い上がるように空調ユニット２０を制御する舞い上げ制御を実行した後、空調ダクト１０及び車室内を空気が循環するように空調ユニット２０を制御する内気循環制御を実行する。【選択図】図１
2018099937.tif 000002
【特許請求の範囲】
【請求項１】
車室内の空気である内気を取り込むための内気吸込口（１３）、及び車室外の空気である外気を取り込むための外気吸込口（１２）の少なくとも一方から取り込まれる空気を車室内に吹き出す空調ダクト（１０）と、
前記空調ダクト内を流れる空気に含まれる粉塵を捕集するフィルタ（１７）と、
前記空調ダクト内に設けられ、前記内気吸込口及び前記外気吸込口の少なくとも一方を通じて前記空調ダクト内に導入される空気から、車室内の空調を行うことの可能な空調用空気を生成する空調ユニット（２０）と、
前記空調ユニットを制御する制御部（８０）と、を備え、
前記制御部（８０）は、車室内の床に堆積した粉塵が舞い上がるように前記空調ユニットを制御する舞い上げ制御を実行した後、前記空調ダクト及び車室内を空気が循環するように前記空調ユニットを制御する内気循環制御を実行する
車両用空調装置。
【請求項２】
前記空調ダクトは、空気を乗員の足元に向かって吹き出すためのフット吹出口（１６）を有し、
前記制御部は、前記舞い上げ制御として、前記空調ダクト内を流れる空気が前記フット吹出口から吹き出されるように前記空調ユニットを制御する
請求項１に記載の車両用空調装置。
【請求項３】
前記空調ダクトは、空気を乗員の足元に向かって吹き出すためのフット吹出口（１６）を有し、
前記制御部は、前記舞い上げ制御として、前記空調ダクト内を流れる空気が前記フット吹出口のみから吹き出されるように前記空調ユニットを制御する
請求項１に記載の車両用空調装置。
【請求項４】
前記空調ユニットは、車室内に吹き出される空気の風量を調整する送風機（２１）を有し、
前記制御部は、前記舞い上げ制御として、空気の風量が最大風量となるように前記送風機を制御する
請求項１〜３のいずれか一項に記載の車両用空調装置。
【請求項５】
前記制御部は、車室内に乗員が存在しないことを条件に、前記舞い上げ制御を実行する
請求項１〜４のいずれか一項に記載の車両用空調装置。
【請求項６】
前記空調ダクトは、空気を車室内に吹き出す吹出口として、空気を乗員の顔に向けて吹き出すためのフェイス吹出口（１５）を有し、
前記制御部は、車室内に乗員が存在する場合には、前記舞い上げ制御の実行の際に、前記フェイス吹出口から空気を吹き出す
請求項５に記載の車両用空調装置。
【請求項７】
前記空調ダクトは、車両の複数の座席に個別に空気を吹き出すための複数の吹出口（１５ａ，１５ｂ，１６ａ，１６ｂ）を有し、
前記制御部は、複数の吹出口のうち、乗員が存在する座席に対応する吹出口のみに対して前記舞い上げ制御を実行する
請求項１〜６のいずれか一項に記載の車両用空調装置。
【請求項８】
車室内の乗員を検出するためのセンサとして、車両の座席に乗員が着座しているか否かを検出する着座センサ（７１）を更に備える
請求項５〜７のいずれか一項に記載の車両用空調装置。
【請求項９】
車室内の乗員を検出するためのセンサとして、車室内に存在する乗員の表面温度を非接触で検出する赤外線センサ（７４）を更に備える
請求項５〜７のいずれか一項に記載の車両用空調装置。
【請求項１０】
前記制御部は、車両の始動スイッチ（７３）がオフ操作されていることを条件に、車室内に乗員が存在しないと判断する
請求項５に記載の車両用空調装置。
【発明の詳細な説明】
【技術分野】
【０００１】
本開示は、車両用空調装置に関する。
【背景技術】
【０００２】
従来、特許文献１に記載の車両用空調装置がある。特許文献１に記載の車両用空調装置は、イグニッションスイッチがオンされた直後に花粉モードを開始する。花粉モードは、複数の吹出口より乗員の顔付近に送風可能な吹出口が選択されるとともに、選択された吹出口から車室内の乗員の顔付近に所定風量の風を送風する動作モードである。
【先行技術文献】
【特許文献】
【０００３】
【特許文献１】特許第４３１１２７０号公報
【発明の概要】
【発明が解決しようとする課題】
【０００４】
ところで、特許文献１に記載の車両用空調装置では、花粉モードで動作した際に、車室内の乗員の顔付近に浮遊する花粉を除去することができるものの、車室内の床に堆積した埃や花粉、粒子状物質（ＰＭ：Particulate Matter）等の粉塵を除去することが困難である。車室内の床に堆積した粉塵は、例えば乗員が車両を乗り降りする際や、空調装置のフット吹出口から空調用空気が吹き出される際に、車室内に舞い上げられる可能性がある。このような車室内の床から舞い上げられる粉塵が乗員にかかると、乗員に不快感を与えるおそれがある。
【０００５】
本開示は、こうした実情に鑑みてなされたものであり、その目的は、車室内の粉塵を低減することの可能な車両用空調装置を提供することにある。
【課題を解決するための手段】
【０００６】
上記課題を解決する車両用空調装置（１）は、空調ダクト（１０）と、フィルタ（１７）と、空調ユニット（２０）と、制御部（８０）と、を備える。空調ダクト（１０）は、車室内の空気である内気を取り込むための内気吸込口（１３）、及び車室外の空気である外気を取り込むための外気吸込口（１２）の少なくとも一方から取り込まれる空気を車室内に吹き出す。フィルタ（１７）は、空調ダクト内を流れる空気に含まれる粉塵を捕集する。空調ユニット（２０）は、空調ダクト内に設けられ、内気吸込口及び外気吸込口の少なくとも一方を通じて空調ダクト内に導入される空気から、車室内の空調を行うことの可能な空調用空気を生成する。制御部（８０）は、空調ユニットを制御する。制御部は、車室内の床に堆積した粉塵が舞い上がるように空調ユニットを制御する舞い上げ制御を実行した後、空調ダクト及び車室内を空気が循環するように空調ユニットを制御する内気循環制御を実行する。
【０００７】
この構成によれば、舞い上げ制御が実行されることにより、車室内の床に堆積した粉塵が車室内の空間に舞い上げられる。また、その後に内気循環制御が実行されることにより、粉塵を含む空気が空調ダクトに吸い込まれる。粉塵を含む空気が空調ダクトを通過する際、空気に含まれる粉塵が空調ダクト内のフィルタにより捕集される。結果的に、車室内の床に堆積した粉塵をフィルタにより捕集することができるため、車室内の粉塵を低減することができる。
【０００８】
なお、上記手段、及び特許請求の範囲に記載の括弧内の符号は、後述する実施形態に記載の具体的手段との対応関係を示す一例である。
【発明の効果】
【０００９】
本開示によれば、車室内の粉塵を低減することの可能な車両用空調装置を提供できる。
【図面の簡単な説明】
【００１０】
【図１】図１は、第１実施形態の車両用空調装置の概略構成を示すブロック図である。
【図２】図２は、第１実施形態のＥＣＵにより実行される清浄化制御の処理手順を示すフローチャートである。
【図３】図３は、第１実施形態の舞い上げ制御の実行時の車室内の様子を模式的に示す図である。
【図４】図４は、第２実施形態のＥＣＵにより実行される清浄化制御の処理手順を示すフローチャートである。
【図５】図５は、第２実施形態のＥＣＵにより実行される第２舞い上げ制御の処理手順を示すフローチャートである。
【図６】図６は、第２実施形態の第２舞い上げ制御の実行時の車室内の様子を模式的に示す図である。
【図７】図７は、第３実施形態の車両用空調装置の概略構成を示すブロック図である。
【発明を実施するための形態】
【００１１】
＜第１実施形態＞
以下、車両用空調装置の第１実施形態について図面を参照しながら説明する。説明の理解を容易にするため、各図面において同一の構成要素に対しては可能な限り同一の符号を付して、重複する説明は省略する。
【００１２】
図１に示されるように、本実施形態の車両用空調装置１は、空調ダクト１０と、空調ユニット２０とを備えている。車両用空調装置１は、車両のインストルメントパネルの内部に設けられている。
空調ダクト１０の内部には、車室内を空調するための空調用空気を車室内に導く空気通路１１が形成されている。空気通路１１内では、図中に矢印Ａで示される方向に空気が流れる。空調ダクト１０の空気流れ方向Ａの上流側の部分には、空調ダクト１０の外部から空気通路１１内に空気を取り込む部分として、外気吸込口１２と、内気吸込口１３とが形成されている。外気吸込口１２は、車室外の空気である外気を空気通路１１内に取り込む部分である。内気吸込口１３は、車室内の空気である内気を空気通路１１内に取り込む部分である。
【００１３】
空調ダクト１０における外気吸込口１２及び内気吸込口１３の下流側の部分には、フィルタ１７が配置されている。フィルタ１７は、外気吸込口１２から取り込まれる外気、あるいは内気吸込口１３から取り込まれる内気に含まれる埃等の粉塵を除去する。
空調ダクト１０の空気流れ方向Ａの下流側の部分には、デフロスタ吹出口１４と、フェイス吹出口１５と、フット吹出口１６とが形成されている。デフロスタ吹出口１４は、空調ダクト１０内を流れる空気を車両のフロントガラスの内面に向かって吹き出す。フェイス吹出口１５は、空調ダクト１０内を流れる空気を運転者又は助手席の乗員の顔に向かって吹き出す。フット吹出口１６は、空調ダクト１０内を流れる空気を運転者又は助手席の乗員の足元に向かって吹き出す。
【００１４】
空調ユニット２０は、外気吸込口１２及び内気吸込口１３の少なくとも一方を通じて空気通路１１に導入される空気から空調用空気を生成する。空調ユニット２０は、送風機２１と、蒸発器２２と、ヒータコア２３とを備えている。
送風機２１は、外気吸込口１２及び内気吸込口１３の空気流れ方向Ａの下流側に配置されている。送風機２１は、電力の供給に基づき回転することにより空気通路１１内に空気流を発生させる。送風機２１に供給される電力の調整により、空気通路１１内を流れる空気の風量、換言すれば空調用空気の風量が調整される。
【００１５】
蒸発器２２は、送風機２１の空気流れ方向Ａの下流側に配置されている。蒸発器２２は、図示しない冷凍サイクルの構成要素である。冷凍サイクルは、蒸発器２２の他、圧縮機、凝縮器、及び膨張弁により構成されている。冷凍サイクルでは、圧縮機、凝縮器、膨張弁、及び蒸発器２２の順で冷媒が循環する。蒸発器２２では、内部を流れる冷媒と空気通路１１内の空気との間で熱交換が行われることにより、冷媒が蒸発して気化する。蒸発器２２は、冷媒が気化する際の気化熱を利用して空気通路１１内を流れる空気を冷却する機能、及び空気通路１１内を流れる空気を除湿する機能を有している。
【００１６】
ヒータコア２３は、蒸発器２２の空気流れ方向Ａの下流側に配置されている。ヒータコア２３は、図示しないエンジンと配管を介して接続されている。この配管を介してエンジンとヒータコア２３との間でエンジン冷却水が循環している。ヒータコア２３は、内部を流れるエンジン冷却水を熱源として、空気通路１１内を流れる空気を加熱する。
【００１７】
空調ユニット２０は、内外気切替ドア２４と、エアミックスドア２５と、吹出口切替ドア２６，２７，２８とを更に備えている。
内外気切替ドア２４は、外気吸込口１２及び内気吸込口１３を開閉させる。内外気切替ドア２４が図中に実線で示される内気導入位置に位置している場合、外気吸込口１２が閉塞されるとともに、内気吸込口１３が開口される。この場合、車両用空調装置１は、内気吸込口１３から空気通路１１内に内気を取り込む内気循環モードとなる。一方、内外気切替ドア２４が図中に破線で示される外気導入位置に位置している場合、内気吸込口１３が閉塞されるとともに、外気吸込口１２が開口される。この場合、車両用空調装置１は、外気吸込口１２から空気通路１１内に外気を取り込む外気導入モードとなる。
【００１８】
エアミックスドア２５は、ヒータコア２３に流入する空気の風量と、ヒータコア２３を迂回する空気の風量との比率を調整する。具体的には、エアミックスドア２５の位置は、図中の実線で示される最大暖房位置と、図中に破線で示される最大冷房位置との間で調整することが可能となっている。エアミックスドア２５の位置が最大暖房位置である場合、蒸発器２２を通過した空気のほとんどがヒータコア２３を通過するため、空調用空気の温度が最も上昇する。エアミックスドア２５の位置が最大冷房位置である場合、蒸発器２２を通過した空気のほとんどがヒータコア２３を迂回する。この場合、蒸発器２２で冷却された空気がそのまま各吹出口１４〜１６へ流れるため、空調用空気の温度が最も低下する。車両用空調装置１では、エアミックスドア２５の開度が最大暖房位置と最大冷房位置との間で調整されることで、空調用空気の温度が調整される。
【００１９】
吹出口切替ドア２６〜２８は、デフロスタ吹出口１４、フェイス吹出口１５、及びフット吹出口１６のそれぞれの開閉状態を切り替える。吹出口切替ドア２６〜２８の少なくとも１つが開状態となることにより、開状態の吹出口から車室内に向けて空調用空気が吹き出される。
【００２０】
次に、車両用空調装置１の電気的な構成について説明する。
車両用空調装置１は、操作部６０と、表示部６１と、粉塵センサ７０と、着座センサ７１と、ＥＣＵ（Electronic Control Unit）８０とを備えている。本実施形態では、ＥＣＵ８０が制御部に相当する。
【００２１】
操作部６０は、空調用空気の風量や温度等を調整する際に運転者により操作される部分である。操作部６０は、例えば車両のインストルメントパネルに配置されている。操作部６０では、例えば外気導入モード及び内気循環モードのいずれか一方を選択することができる。また、操作部６０では、空調用空気の風量、空調用空気の温度、及び空調用空気の吹出口等を設定することができる。操作部６０は、これらの操作情報をＥＣＵ８０に出力する。
【００２２】
表示部６１は、車両用空調装置１の各種情報を表示する部分である。本実施形態では、車両のカーナビゲーション装置の表示部が車両用空調装置１の表示部６１として代用されている。なお、表示部６１は、車両用空調装置１専用のものを用いてもよい。
粉塵センサ７０は、空調ダクト１０におけるフィルタ１７の設置部分に形成された迂回路１８に設けられている。迂回路１８は、外気吸込口１２から取り込まれる外気、あるいは内気吸込口１３から取り込まれる内気をフィルタ１７を迂回させて流す部分である。粉塵センサ７０は、迂回路１８を流れる空気に含まれている粉塵の濃度を検出する。
【００２３】
具体的には、粉塵センサ７０は、例えば迂回路１８に向けて光を照射する発光素子と、光を受光する受光素子とを有している。発光素子から照射される光は、迂回路１８を流れる空気に含まれる粉塵により反射される。この反射光が受光素子により受光される。すなわち、受光素子の受光量は、迂回路１８内を通過する空気の粉塵濃度に応じて変化する。受光素子は、受光した反射光に応じた電圧信号を出力する。粉塵センサ７０は、受光素子の出力電圧に応じた電圧信号を出力する。よって、空調ダクト１０内を流れる空気の粉塵濃度に応じて粉塵センサ７０の出力信号が変化することになる。
【００２４】
着座センサ７１は、車両の複数の座席のそれぞれに乗員が着座しているか否かを検出するとともに、その検出結果に応じた信号を出力する。本実施形態では、着座センサ７１が、車室内の乗員を検出する乗員センサに相当する。
ＥＣＵ８０には、車両の状態を検出するための各種センサ及びスイッチの検出信号が取り込まれている。例えば、図１に示されるように、ＥＣＵ８０には、ドア開閉センサ７２の出力信号が取り込まれている。ドア開閉センサ７２は、車両の各ドアの開閉状態を検出するとともに、検出された車両ドアの開閉状態に応じた信号を出力する。
【００２５】
ＥＣＵ８０は、ＣＰＵやメモリ等を有するマイクロコンピュータを中心に構成されている。ＥＣＵ８０は、操作部６０から操作情報を取得するとともに、取得した操作情報に基づいて空調ユニット２０を駆動させる通常空調制御を実行する。この通常空調制御の実行により、操作部６０の操作情報に応じた空調用空気が空調ユニット２０により生成される。
【００２６】
また、ＥＣＵ８０には、粉塵センサ７０、着座センサ７１、及びドア開閉センサ７２のそれぞれの出力信号が取り込まれている。ＥＣＵ８０は、粉塵センサ７０の出力信号に基づいて粉塵濃度の情報を取得するとともに、取得した粉塵濃度を表示部６１に表示する。ＥＣＵ８０は、着座センサ７１の出力信号に基づいて各座席の乗員の有無の情報を取得する。ＥＣＵ８０は、ドア開閉センサ７２の出力信号に基づいて、車両の各ドアの開閉状態を検出する。
【００２７】
さらに、ＥＣＵ８０は、車室内の床に堆積した粉塵を舞い上げた後にフィルタ１７で捕集することにより車室内の空気を清浄化する清浄化制御を実行する。
次に、図２を参照して、ＥＣＵ８０により実行される清浄化制御の具体的な手順について説明する。なお、ＥＣＵ８０は、図２に示される処理を所定の周期で繰り返し実行する。
【００２８】
図２に示されるように、ＥＣＵ８０は、まず、ステップＳ１０の処理として、空調ユニット２０を内気循環モードに設定する。具体的には、ＥＣＵ８０は、内外気切替ドア２４を内気導入位置に位置させる。
次に、ＥＣＵ８０は、ステップＳ１１の処理として、車室内に乗員が存在するか否かを判断する。具体的には、ＥＣＵ８０は、以下の（ａ１）及び（ａ２）の論理積条件が満たされることをもって車室内に乗員が存在しないと判断する。
【００２９】
（ａ１）着座センサ７１により車室内に乗員が検出されていないこと。
（ａ２）（ａ１）の条件が満たされた後に、ドア開閉センサ７２により車両ドアの開操作に続いて車両ドアの閉操作が検出されること。
【００３０】
ＥＣＵ８０は、ステップＳ１１の処理で否定判断した場合、すなわち車室内に乗員が存在しないと判断した場合には、ステップＳ１２の処理として、車室内の床に堆積した粉塵が舞い上がるように空調ユニット２０を制御する舞い上げ制御を実行する。具体的には、ＥＣＵ８０は、空気の風量が最大風量となるように送風機２１を制御する。また、ＥＣＵ８０は、デフロスタ吹出口１４及びフェイス吹出口１５が閉状態となり、且つフット吹出口１６が開状態となるように吹出口切替ドア２６〜２８を制御する。換言すれば、ＥＣＵ８０は、空調ダクト１０内を流れる空気がフット吹出口１６のみから吹き出されるように吹出口切替ドア２６〜２８を制御する。これにより、フット吹出口１６から空気が最大風量で送風されるため、図３に示されるように、車室内の床に堆積した粉塵が車室内に舞い上げられる。
【００３１】
図２に示されるように、ＥＣＵ８０は、ステップＳ１２の処理を実行した後、ステップＳ１３の処理として、舞い上げ制御が完了したか否かを判断する。具体的には、ＥＣＵ８０は、舞い上げ制御の実行を開始した時点から所定時間が経過することをもって、舞い上げ制御が完了したと判断する。所定時間は、予め設定されている時間である。
【００３２】
ＥＣＵ８０は、ステップＳ１３の処理で肯定判断した場合、すなわち舞い上げ制御が完了した場合には、ステップＳ１４の処理として、空調ダクト１０及び車室内を空気が循環するように空調ユニット２０を制御する内気循環制御を実行する。具体的には、ＥＣＵ８０は、送風機２１の風量を最大風量に設定した状態を維持したまま、デフロスタ吹出口１４及びフット吹出口１６が閉状態となり、且つフェイス吹出口１５が開状態となるように吹出口切替ドア２６〜２８を制御する。換言すれば、ＥＣＵ８０は、空調ダクト１０内を流れる空気がフェイス吹出口１５のみから吹き出されるように吹出口切替ドア２６〜２８を制御する。これにより、フェイス吹出口１５から空気が最大風量で送風されるため、車室内に舞い上げられた粉塵が空気と共に内気吸込口１３から空調ダクト１０内に吸い込まれる。空調ダクト１０内に吸い込まれた空気がフィルタ１７を通過する際、空気に含まれる粉塵がフィルタ１７により捕集されるため、空気が清浄化される。この清浄化された空気がフェイス吹出口１５を介して車室内に吹き出されることにより、車室内の空気が徐々に清浄化される。
【００３３】
ＥＣＵ８０は、ステップＳ１１の処理で肯定判断した場合にも、ステップＳ１４の内気循環制御を実行する。すなわち、ＥＣＵ８０は、車室内に乗員が存在する場合には、舞い上げ制御を実行せずに内気循環制御を実行する。
ＥＣＵ８０は、ステップＳ１４の処理を実行した後、ステップＳ１５の処理として、内気循環制御が完了したか否かを判断する。具体的には、ＥＣＵ８０は、内気循環制御の実行を開始した時点から所定時間が経過することをもって、内気循環制御が完了したと判断する。所定時間は、予め設定されている時間である。
【００３４】
ＥＣＵ８０は、ステップＳ１５の処理で肯定判断した場合には、すなわち内気循環制御が完了した場合には、ステップＳ１６の処理として、粉塵センサ７０により検出される粉塵濃度を表示部６１に表示する。その後、ＥＣＵ８０は、ステップＳ１７の処理として、通常空調制御を実行する。
【００３５】
以上説明した本実施形態の車両用空調装置１によれば、以下の（１）〜（５）に示される作用及び効果を得ることができる。
（１）舞い上げ制御が実行されることにより、車室内の床に堆積した粉塵が車室内の空間に舞い上げられる。また、その後に内気循環制御が実行されることにより、粉塵を含む空気が空調ダクトに吸い込まれる。粉塵を含む空気が空調ダクト１０を通過する際、空気に含まれる粉塵が空調ダクト１０内のフィルタ１７により捕集される。結果的に、車室内の床に堆積した粉塵をフィルタ１７により捕集することができるため、車室内の粉塵を低減することができる。
【００３６】
（２）ＥＣＵ８０は、舞い上げ制御として、空調ダクト１０内を流れる空気がフット吹出口１６のみから吹き出されるように吹出口切替ドア２６〜２８を制御する。これにより、車室内の床に堆積した粉塵を、より的確に車室内の空間に舞い上げることができるため、車室内の床に堆積した粉塵を更にフィルタ１７により捕集することができる。よって、より的確に車室内の粉塵を低減することができる。
【００３７】
（３）ＥＣＵ８０は、舞い上げ制御として、空気の風量が最大風量となるように送風機２１を制御する。これにより、車室内の床に堆積した粉塵を、より的確に車室内の空間に舞い上げることができるため、車室内の床に堆積した粉塵を更にフィルタ１７により捕集することができる。よって、より的確に車室内の粉塵を低減することができる。
【００３８】
（４）ＥＣＵ８０は、着座センサ７１により車室内に乗員が存在しないと判断することを条件に、舞い上げ制御を実行する。これにより、粉塵が乗員にかかり難くなるため、乗員に不快感を与え難くなる。
（５）車両用空調装置１は、車室内の乗員を検出するための乗員センサとして、車両の複数の座席のそれぞれに乗員が着座しているか否かを検出する着座センサ７１を備える。これにより、車室内の乗員の有無を容易に検出することができる。
【００３９】
（変形例）
次に、第１実施形態の車両用空調装置１の変形例について説明する。
図１に破線で示されるように、本変形例のＥＣＵ８０には、始動スイッチ７３の出力信号が取り込まれている。始動スイッチ７３は、車両を始動させる際に運転者により操作されるスイッチである。始動スイッチ７３としては、車両のエンジンを始動させる際に操作されるイグニッションスイッチや、ハイブリッド車や電気自動車等を始動させる際に操作される押しボタン式のスイッチ等を用いることができる。始動スイッチ７３は、運転者によりオン操作及びオフ操作が行われた際に、その操作に応じた信号を出力する。
【００４０】
ＥＣＵ８０は、始動スイッチ７３の出力信号に基づいて、始動スイッチ７３に対するオン操作及びオフ操作を検出する。
ＥＣＵ８０は、図２に示されるステップＳ１１の処理において、以下の（ａ１）〜（ａ３）の論理積条件が満たされることをもって、車室内に乗員が存在しないと判断する。
【００４１】
（ａ１）着座センサ７１により車室内に乗員が検出されていないこと。
（ａ２）始動スイッチ７３がオフ操作されていること。
（ａ３）（ａ１）の条件及び（ａ２）の条件が満たされた後に、ドア開閉センサ７２により車両ドアの開操作に続いて車両ドアの閉操作が検出されること。
【００４２】
このような構成によれば、乗員が車両を停止させて降車した後に、ステップＳ１２の舞い上げ制御及びステップＳ１４の内気循環制御が実行されるようになる。よって、更に乗員に粉塵がかかり難くなる。
なお、本変形例の車両用空調装置１のように、始動スイッチ７３がオフ操作された後に舞い上げ制御及び内気循環制御が実行される場合、内気循環制御が完了した時点では、車両が停止状態であるとともに、車室内に乗員が存在しない状況となっている。このような状況では、ＥＣＵ８０がステップＳ１７の処理として通常空調制御を実行する必要がないため、同処理を割愛してもよい。
【００４３】
＜第２実施形態＞
次に、第２実施形態の車両用空調装置１について説明する。以下、第１実施形態の車両用空調装置１との相違点を中心に説明する。
本実施形態のＥＣＵ８０は、清浄化制御として、図４に示される処理を実行する。すなわち、ＥＣＵ８０は、ステップＳ１１の処理で否定判断した場合、すなわち車室内に乗員が存在しないと判断した場合には、ステップＳ２０の処理として第１舞い上げ制御を実行する。第１舞い上げ制御の制御内容は、図２に示される第１実施形態のステップＳ１２の制御内容と同一である。
【００４４】
ＥＣＵ８０は、ステップＳ１１の処理で肯定判断した場合、すなわち車室内に乗員が存在すると判断した場合には、ステップＳ２１の処理として、第２舞い上げ制御を実行する。具体的には、ＥＣＵ８０は、第２舞い上げ制御として、図５に示される処理を実行する。
すなわち、ＥＣＵ８０は、まず、ステップＳ２１０の処理として、フェイス吹出口１５から空気を吹き出す。具体的には、ＥＣＵ８０は、空気の風量が最大風量となるように送風機２１を制御する。また、ＥＣＵ８０は、デフロスタ吹出口１４及びフット吹出口１６が閉状態となり、且つフェイス吹出口１５が開状態となるように吹出口切替ドア２６〜２８を制御する。換言すれば、ＥＣＵ８０は、空調ダクト１０内を流れる空気がフェイス吹出口１５のみから吹き出されるように吹出口切替ドア２６〜２８を制御する。これにより、図６に示されるように、清浄済みの空気がフェイス吹出口１５から乗員の顔付近に向かって吹き出される。
【００４５】
その後、ＥＣＵ８０は、図５に示されるように、ステップＳ２１１の処理として、フット吹出口１６から空気を吹き出す。具体的には、ＥＣＵ８０は、送風機２１の風量を最大風量に設定した状態を維持したまま、フット吹出口１６を開状態にする。これにより、フット吹出口１６から空気が送風されるため、図６に示されるように、車室内の床に堆積した粉塵が車室内に舞い上げられる。
【００４６】
図５に示されるように、ＥＣＵ８０は、ステップＳ２１１の処理を実行した後、ステップＳ２１２の処理として、舞い上げ制御が完了したか否かを判断する。具体的には、ＥＣＵ８０は、舞い上げ制御の実行を開始した時点から所定時間が経過することをもって、舞い上げ制御が完了したと判断する。所定時間は、予め設定されている時間である。
【００４７】
ＥＣＵ８０は、ステップＳ２１２の処理で肯定判断した場合には、すなわち舞い上げ制御が完了した場合には、ステップＳ２１３の処理として、フット吹出口１６を閉状態とした後、ステップＳ２１４の処理として、フェイス吹出口１５を閉状態にする。その後、図４に示されるように、ＥＣＵ８０は、ステップＳ１４以降の処理を実行する。
【００４８】
以上説明した本実施形態の車両用空調装置１によれば、以下の（６）に示される作用及び効果を更に得ることができる。
（６）ＥＣＵ８０は、車室内に乗員が存在する場合には、フェイス吹出口１５から空気を吹き出しつつ、舞い上げ制御を実行する。これにより、舞い上げ制御により車室内の空間に舞い上がった粉塵が乗員の顔にかかり難くなる。すなわち、乗員の顔付近の粉塵濃度を低減することができるため、乗員の不快感を低減することができる。
【００４９】
＜第３実施形態＞
次に、第３実施形態の車両用空調装置１について説明する。以下、第１実施形態の車両用空調装置１との相違点を中心に説明する。
図７に示されるように、本変形例の空調ダクト１０は、蒸発器２２の下流側の部分において、運転席用のダクト部１０ａと、助手席用のダクト部１０ｂとに分岐されている。
【００５０】
運転席用のダクト部１０ａは、その下流側の部分に設けられるデフロスタ吹出口１４ａ、フェイス吹出口１５ａ、及びフット吹出口１６ａを通じて運転席に空調用空気を導く。助手席用のダクト部１０ｂは、その下流側の部分に設けられるデフロスタ吹出口１４ｂ、フェイス吹出口１５ｂ、及びフット吹出口１６ｂを通じて助手席に空調用空気を導く。
【００５１】
空調ユニット２０は、吹出口１４ａ〜１６ａのそれぞれの開閉状態を切り替えるための吹出口切替ドア２６ａ〜２８ａと、吹出口１４ｂ〜１６ｂのそれぞれの開閉状態を切り替えるための吹出口切替ドア２６ｂ〜２８ｂとを有している。また、空調ユニット２０は、運転席用のダクト部１０ａに対応するエアミックスドア２５ａと、助手席用のダクト部１０ｂに対応するエアミックスドア２５ｂとを有している。
【００５２】
本実施形態のＥＣＵ８０は、図２に示される清浄化制御を運転席及び助手席のそれぞれに対して個別に実行する。
すなわち、ＥＣＵ８０は、運転席に対する清浄化制御を実行する場合には、ステップＳ１１の処理として、運転席の乗員の有無を判断する。また、ＥＣＵ８０は、ステップＳ１２の処理として舞い上げ制御を実行する際には、デフロスタ吹出口１４ａ及びフェイス吹出口１５ａが閉状態となり、且つフット吹出口１６ａが開状態となるように吹出口切替ドア２６ａ〜２８ａを制御する。さらに、ＥＣＵ８０は、ステップＳ１４の処理として内気循環制御を実行する際には、デフロスタ吹出口１４ａ及びフット吹出口１６ａが閉状態となり、且つフェイス吹出口１５ａが開状態となるように吹出口切替ドア２６ａ〜２８ａを制御する。
【００５３】
一方、ＥＣＵ８０は、助手席に対する清浄化制御を実行する場合には、ステップＳ１１の処理として、助手席の乗員の有無を判断する。また、ＥＣＵ８０は、ステップＳ１２の処理として舞い上げ制御を実行する際には、デフロスタ吹出口１４ｂ及びフェイス吹出口１５ｂが閉状態となり、且つフット吹出口１６ｂが開状態となるように吹出口切替ドア２６ｂ〜２８ｂを制御する。さらに、ＥＣＵ８０は、ステップＳ１４の処理として内気循環制御を実行する際には、デフロスタ吹出口１４ｂ及びフット吹出口１６ｂが閉状態となり、且つフェイス吹出口１５ｂが開状態となるように吹出口切替ドア２６ｂ〜２８ｂを制御する。
【００５４】
以上説明した本実施形態の車両用空調装置１によれば、以下の（７）に示される作用及び効果を更に得ることができる。
（７）ＥＣＵ８０は、複数の吹出口１４ａ〜１６ａ，１４ｂ〜１６ｂのうち、乗員の存在する座席に対応する吹出口のみに対して舞い上げ制御を実行する。これにより、舞い上げ制御により車室内の空間に舞い上げられる粉塵が乗員にかかり難くなるため、乗員の不快感を低減することができる。
【００５５】
＜他の実施形態＞
なお、各実施形態は、以下の形態にて実施することもできる。
・第２実施形態のＥＣＵ８０により実行される清浄化制御の処理内容を、第３実施形態のＥＣＵ８０が実行してもよい。すなわち、第３実施形態のＥＣＵ８０は、運転席又は助手席に対して第１舞い上げ制御又は第２舞い上げ制御を実行してもよい。
【００５６】
・第３実施形態の車両用空調装置１は、運転席及び助手席とは別に、後部座席に空調用空気を個別に送風することの可能な構成を有するものであってもよい。この場合、ＥＣＵ８０は、運転席及び助手席とは別に、後部座席に対して清浄化制御を別途実行してもよい。
・各実施形態のＥＣＵ８０は、操作部６０に対する所定の操作に基づいて、清浄化制御を開始してもよい。
【００５７】
・ＥＣＵ８０は、図２及び図４にそれぞれ示されるステップＳ１５の処理において、粉塵センサ７０により検出される粉塵濃度が予め設定された閾値濃度以下になることをもって、内気循環制御が完了したと判断してもよい。
・車室内の乗員を検出するための乗員センサとしては、着座センサ７１に限らず、例えば図１及び図７に破線で示されるように、車室内に存在する乗員の表面温度を非接触で検出する赤外線センサ７４等を用いることもできる。
【００５８】
・各実施形態のＥＣＵ８０は、舞い上げ制御及び内気循環制御の実行の際に、送風機２１の風量を最大風量よりも小さい風量に設定してもよい。
・各実施形態のＥＣＵ８０は、内気循環制御の実行の際に、デフロスタ吹出口１４及びフェイス吹出口１５の両方から、あるいはデフロスタ吹出口１４のみから空気を吹き出してもよい。
【００５９】
・ＥＣＵ８０が提供する手段及び／又は機能は、実体的なメモリに記憶されたソフトウェア及びそれを実行するコンピュータ、ソフトウェアのみ、ハードウェアのみ、あるいはそれらの組み合わせにより提供することができる。例えばＥＣＵ８０がハードウェアである電子回路により提供される場合、それは多数の論理回路を含むデジタル回路、又はアナログ回路により提供することができる。
【００６０】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００６１】
１：車両用空調装置
１０：空調ダクト
１２：外気吸込口
１３：内気吸込口
１５，１５ａ，１５ｂ：フェイス吹出口
１６，１６ａ，１６ｂ：フット吹出口
１７：フィルタ
２０：空調ユニット
２１：送風機
７１：着座センサ
７３：始動スイッチ
７４：赤外線センサ
８０：ＥＣＵ（制御部）
【図１】
2018099937.tif 000003
【図２】
2018099937.tif 000004
【図３】
2018099937.tif 000005
【図４】
2018099937.tif 000006
【図５】
2018099937.tif 000007
【図６】
2018099937.tif 000008
【図７】
2018099937.tif 000009